(57)【特許請求の範囲】
【請求項１】
既設のモールドジスコンの母線側電極及びケーブル側電極が内蔵された固定モールドに装着可能であると共に前記母線側電極に接続可能な可動端子を有する可動カバーと、この可動カバーの前記可動端子に電気的に接続される仮送電ケーブルとを一体化して構成された仮送電ケーブル一体形接続体を備え、
前記固定モールドに取付けられている既設の閉路蓋に代えて前記仮送電ケーブル一体形接続体の前記可動カバーを前記固定モールドに装着し、
前記可動カバーは、前記モールドジスコンの母線側電極に電気的に接続可能な可動端子と、前記ケーブル側電極に接続可能な絶縁素材で形成された可動端子とを有することを特徴とする開閉装置用仮送電ケーブル接続構造。
【請求項２】
前記可動カバーは、前記モールドジスコンの１組の母線側電極及びケーブル側電極に接続可能な１組の可動端子を具備するものであること特徴とする請求項１記載の開閉装置用仮送電ケーブル接続構造。
【請求項３】
前記可動カバーは、前記モールドジスコンの３相各相の母線側電極及びケーブル側電極に接続可能な３組の可動端子を具備するものであること特徴とする請求項１記載の開閉装置用仮送電ケーブル接続構造。
【請求項４】
前記可動カバーが取付けられた前記モールドジスコンの前記ケーブル側電極に電気的に接続されている既設の地中ケーブルは、終端接続部より手前で切断して絶縁処理が施されることを特徴とする請求項１乃至３のいずれかに記載の開閉装置用仮送電ケーブル接続構造。                                  
【発明の詳細な説明】
【技術分野】
【０００１】
本発明は、路上に設置される路上機器等の給電用配電箱（高圧キャビネット）内に設けられたモールド母線と地中ケーブルとを接続するモールドジスコンを備えた開閉装置に仮送電ケーブルを接続する場合に有用な仮送電ケーブル接続構造に関する。
【背景技術】
【０００２】
高圧配電線路から需要家側へ電力を供給するために、路上や建物の敷地内には、例えば、図５で示されるような供給用配電箱（高圧キャビネット）１が設置されている。この給電用配電箱１内においては、電源側地中ケーブル２と負荷側（需要家側）地中ケーブル３とを接続するために、地中から電源側地中ケーブル２と負荷側（需要家側）地中ケーブル３とが立ち上げられ、これらの電源側地中ケーブル２と負荷側地中ケーブル３とがモールドジスコン４を介してモールド母線５に接続されている。このモールドジスコン４は、固定モールド９（母線側電極１４が内蔵された母線側固定モールド７とケーブル側電極１５が内蔵されたケーブル側固定モールド８）に閉路蓋６を装着することで、電力側から、電源側地中ケーブル２→モールドジスコン４→モールド母線５→モールドジスコン４→負荷側地中ケーブル３を経由して、負荷側（需要家側）へ給電が行われるようになっている。そして、電源側地中ケーブル２と負荷側地中ケーブル３との間の電路の開閉（電源側地中ケーブル２とモールド母線５との間、又は、モールド母線５と負荷側地中ケーブル３との間の接続・分離）は、モールドジスコン４の固定モールド９（母線側固定モールド７とケーブル側固定モールド８）に前述した閉路蓋６を着脱させることによって行われるようになっている（特許文献１〜３参照）。
【０００３】
ここで、モールドジスコンは、主として高圧キャビネット内の需要家側断路器として使用される単極形や高圧地中配電系統の分岐等に使用される三極形があり、単極形のモールドジスコンであれば、図６に示されるように、閉路蓋６は、１組の母線側固定モールド７及びケーブル側固定モールド８を備えた固定モールド９に対して装着可能な蓋本体１０に、ブスバー１１にて導電可能に接続された１組の可動端子１２，１３を収容しているもので、この１組の可動端子１２，１３を母線側電極１４およびケーブル側電極１５に接続することで閉路を形成するようになっている。
【０００４】
また、三極形のモールドジスコンであれば、図７に示されるように、閉路蓋６は、各相に対応して設けられた３組の母線側固定モールド及びケーブル側固定モールドを備えた固定モールド９に対して装着可能な蓋本体１０にブスバー１１にて導電可能に接続された３組の可動端子１２，１３を収容しているもので、この３組の可動端子１２，１３を各極の母線側電極１４およびケーブル側電極１５に接続することで閉路を形成するようになっている。
【０００５】
前述したモールド母線５は、その下部に所定の間隔をおいて接続部５ａが形成され、これらの接続部５ａにモールドジスコン４の母線側電極１４が電気的に接続されている。また、各地中ケーブル（電源側地中ケーブル２、負荷側地中ケーブル３）は、モールドジスコン４のケーブル側固定モールド８の基端部から下方へ延びるブッシング１６を介してケーブル側電極１５に電気的に接続されている。
【０００６】
モールドジスコン４のブッシング１６に取り付けられる各地中ケーブル２，３の終端接続部１７は、例えば、図８に示されるような構造を有するもので、段剥処理によってケーブル絶縁層１８およびケーブル導体１９がそれぞれ露出され、この露出されたケーブル絶縁層１８の外周にストレスコーン２０が装着されている。また、ケーブル導体１９に圧縮端子２１が取り付けられ、この圧縮端子２１の外方にはスリーブカバー２２を介して絶縁筒２３が取り付けられている。尚、２４はケーブルシース、２５はカバーグリップ、２６はホースバンド、２８は端子固定管である。
【０００７】
ところで、路上に設置される既設の給電用配電箱（高圧キャビネット）及び路上変圧器の既設ケーブルに不良等が発生した場合には、地中配電線系統に接続された仮送電ケーブル（直結端末用ケーブル）をモールドジスコンのブッシングに接続し、この仮送電ケーブルを介して負荷側（需要家側）へ給電するようにしている。この場合、従来においては、不良の既設ケーブルをモールドジスコンのブッシングから取り外し、しかる後に仮送電線ケーブルの直結形終端接続部を前記ブッシングに接続する作業を行うようにしていた。
【０００８】
このため、従来においては、モールドジスコンのブッシングから既設ケーブルを外す場合には、以下の作業が必要となる。
１．  取り外す地中ケーブルを確認した後、その地中ケーブルの直結形終端接続部（以下、終端端末部）に取り付けられているカバーグリップ２５やホースバンド２６のネジを緩めて絶縁筒２３を引き下げる。
２．  スリーブカバー２２を撤去する。
３．  端子固定管２８を緩めてケーブルをモールドジスコンのブッシング１６から取り外す。
また、仮送電ケーブルを取付ける場合には、以下の作業が必要となる。
４．  モールドジスコン４のブッシング１６の表面、ストレスコーン２０、スリーブカバー２２、絶縁筒２３の内面をベンジンにより清掃する。
５.  地中ケーブルをモールドジスコン４のブッシング１６に挿入し、端子固定管２８を締め付ける。
６．  スリーブカバー２２を取付ける。
７．  各部材（ブッシング１６の表面、ストレスコーン２０、スリーブカバー２２、絶縁筒２３の内面）にシリコンを塗布する。
８．  絶縁筒２３を引き上げる。
９．  絶縁筒２３のカバーグリップ２５、ホースバンド２６を締め付ける。
【先行技術文献】
【特許文献】
【０００９】
【特許文献１】特開２０１０−２３３３０３号公報
【特許文献２】特開平８−９８３３７号公報
【特許文献３】実用新案登録第２５９１２０６号公報
【発明の概要】
【発明が解決しようとする課題】
【００１０】
しかしながら、既設の地中ケーブルを仮送電ケーブルに取り替えるためには、上述のように、多数の作業が必要となり、作業性が悪く、時間がかかるものであった。このため、停電時間が長くなり、顧客への送電時間が遅れる等の不都合が生じている。
また、モールドジスコンのブッシングへのケーブルの取り付け、撤去作業時に、ブッシング及びケーブルの損傷の恐れがあり、しかも、固定モールド下部の端子固定管を緩めたり、締め付けたりする際に、バイプレンチを締め付け過ぎて端子固定管の損傷を招く恐れがある。
【００１１】
本発明は係る事情に鑑みてなされたものであり、既設ケーブルに不良等が発生した場合でも、仮送電ケーブルの取付作業を容易に行うことで、作業時間の短縮を図り、もって停電時間を短縮して顧客への送電時間の遅れを防ぎ、また、モールドジスコンのブッシングでのケーブルの抜差し作業を不要とし、ブッシング及びケーブルの損傷の恐れをなくすことが可能な開閉装置用仮送電ケーブル接続構造を提供することを主たる課題としている。
【課題を解決するための手段】
【００１２】
上記課題を達成するために、本発明に係る開閉装置用仮送電ケーブル接続構造は、既設のモールドジスコンの母線側電極及びケーブル側電極が内蔵された固定モールド（母線側電極が内蔵された母線側固定モールドとケーブル側電極が内蔵されたケーブル側固定モールド）に装着可能であると共に前記母線側電極に接続可能な可動端子を有する可動カバーと、この可動カバーの前記可動端子に電気的に接続される仮送電ケーブルとを一体化して構成された仮送電ケーブル一体形接続体を備え、前記固定モールドに取付けられている既設の閉路蓋に代えて前記仮送電ケーブル一体形接続体の前記可動カバーを前記固定モールドに装着し、前記可動カバーは、前記モールドジスコンの母線側電極に電気的に接続可能な可動端子と、前記ケーブル側電極に接続可能な絶縁素材で形成された可動端子とを有することを特徴とすることを特徴としている。                                  
【００１３】
したがって、このような構成によれば、既設ケーブルに不良等が発生した場合でも、モールドジスコンの固定モールド（母線側固定モールド及びケーブル側固定モールド）に装着されている既設の閉路蓋を取り外し、仮送電ケーブルが一体化された仮送電ケーブル一体形接続体の可動カバーを閉路蓋が取り外された固定モールド（母線側固定モールド及びケーブル側固定モールド）に装着すれば、仮送電ケーブルと電気的に接続されている可動端子が母線側電極に電気的に接続されるので、モールドジスコンのブッシングに対して既設の地中ケーブルを仮送電ケーブルに取り替える作業が不要となり、給電状態を容易に復旧させることが可能となる。尚、モールドジスコンのブッシングに取付けられている既設の地中ケーブルは、終端接続部より手前で切断して絶縁処理を施しておけばよい。
【００１４】
また、前記可動カバーは、前記モールドジスコンの母線側電極に電気的に接続可能な可動端子と、前記ケーブル側電極に接続可能な絶縁素材で形成された可動端子とを有して構成したので、ケーブル側電極にも接続可能な絶縁性の可動端子が設けられることになり、可動カバーの装着状態を補強することが可能となり、装着状態にがたつきがなくなる。 
【００１５】
ここで、可動カバーは、単極型のモールドジスコンにあっては、前記モールドジスコンの１組の母線側電極及びケーブル側電極に接続可能な１組の可動端子を具備したものであっても、三極型のモールドジスコンにあっては、前記モールドジスコンの３相各相の母線側電極及びケーブル側電極に接続可能な３組の可動端子を具備したものであってもよい。
【発明の効果】
【００１６】
以上述べたように、本発明に係る開閉装置用仮送電ケーブルの接続構造によれば、既設のモールドジスコンの固定モールドに装着可能であると共に母線側電極に接続可能な可動端子を有する可動カバーと、この可動カバーの可動端子に電気的に接続される仮送電用ケーブルとを一体化させて構成された仮送電ケーブル一体形接続体を用いて、モールドジスコンの固定モールドに取付けられている既設の閉路蓋に代えて、この仮送電ケーブル一体形接続体の可動カバーを固定モールドに装着するようにしたので、給電状態を容易に形成することが可能となる。
【００１７】
このため、仮送電ケーブルの取付作業を容易に行うことができるため、作業時間の短縮を図ることが可能となり、もって停電時間を短縮して顧客への給電遅れを防ぐことが可能となる。しかも、モールドジスコンのブッシングでのケーブルの抜差し作業が不要となるので、ブッシング及びケーブルの損傷の恐れをなくすことが可能となる。
【図面の簡単な説明】
【００１８】
【図１】図１は、本発明に係る開閉装置用仮送電ケーブル接続構造に用いられる単極形の仮送電ケーブル一体形接続体を示す図であり、（ａ）はその正面図であり、（ｂ）はその側面図である。
【図２】図２（ａ）は、図１に示す仮送電ケーブル一体形接続体をモールドジスコンの固定モールドに装着する前の状態を示す一部切り欠きの断面図であり、図２（ｂ）は、図１に示す仮送電ケーブル一体形接続体をモールドジスコンの固定モールドに装着した状態を示す一部切り欠きの断面図である。
【図３】図３は、本発明に係る開閉装置用仮送電ケーブル接続構造に用いられる三極形の仮送電ケーブル一体形接続体を示す図であり、（ａ）はその正面図であり、（ｂ）はその側面図である。
【図４】図４（ａ）は、図３に示す仮送電ケーブル一体形接続体をモールドジスコンの固定モールドに装着する前の状態を示す一部切り欠きの断面図であり、図４（ｂ）は、図３に示す仮送電ケーブル一体形接続体をモールドジスコンの固定モールドに装着した状態を示す一部切り欠きの断面図である。
【図５】図５は、供給用配電箱（高圧キャビネット）の一例を示す図である。
【図６】図６は、従来の単極形のモールドジスコンを示す図であり、（ａ）はその正面図、（ｂ）はその側面図、（ｃ）は閉路蓋を固定モールドに接続する前の状態を示す断面図である。
【図７】図７は、従来の三極形のモールドジスコンを示す図であり、（ａ）はその正面図、（ｂ）はその側面図、（ｃ）は閉路蓋を固定モールドに接続する前の状態を示す断面図である。
【図８】図８は、モールドジスコンのブッシングに地中ケーブルの直結形終端接続部を接続した状態を示す図である。
【発明を実施するための形態】
【００１９】
以下、本発明に係る開閉装置用仮送電ケーブル接続構造の実施形態を添付図面を参照しながら説明する。
開閉装置用仮送電ケーブル接続構造に用いられる仮送電ケーブル一体形接続体３０は、可動カバー３１と仮送電ケーブル３２とを一体化させたもので、既設のモールドジスコン４の固定モールド９に装着させることで仮送電ケーブル３２とモールド母線５（図５参照）とを電気的に接続するようにしたものである。
【実施例１】
【００２０】
図１及び図２において、単極形のモールドジスコン４に適用した構成例が示されている。
この例において、先ず、仮送電ケーブル一体形接続体３０の可動カバー３１が装着される固定モールド９について説明すると、固定モールド９は、それ自体周知の既存のもので、合成樹脂からなる基台２９の表面に上下方向に配された一対の電極収容筒７ａ，８ａが突出形成されている。また、基台２９には、導電体からなる棒状の母線側電極１４とケーブル側電極１５とが電極収容筒７ａ，８ａ内に突出するように固定されている。母線側電極１４は、モールド母線５（図５参照）に電気的に接続され、ケーブル側電極１５は、ケーブル側固定モールド８の下部に形成されたブッシング１６を介してここに終端接続部１７が接続された地中ケーブル２，３のケーブル導体に電気的に接続されている。
前記電極収容筒７ａとこれに収容される母線側電極１４とにより、母線側電極１４が内蔵された母線側固定モールド７が構成され、電極収容筒７ｂとこれに収容されるケーブル側電極とにより、ケーブル側電極１５が内蔵されたケーブル側固定モールド８が構成されている。
【００２１】
次に、仮送電ケーブル一体形接続体３０について説明すると、仮送電ケーブル一体形接続体３０の可動カバー３１は、エポキシ樹脂などの絶縁素材によって形成されているもので、モールドジスコン４の既設の固定モールド９（母線側電極１４が内蔵された母線側固定モールド７とケーブル側電極１５が内蔵されたケーブル側固定モールド８）を覆うように装着可能に蓋状に形成されている。前面には、固定モールド９（母線側固定モールド７とケーブル側固定モールド８）とを挿入する開口部３３が形成され、背面には、可動カバー３１を固定モールド９に取り付ける際に用いられる単極操作工具３５を装着するための工具装着部３６が設けられている。
【００２２】
可動カバー３１の背部（底部）３１ａには、ブスバー３７が上下方向に延びるように埋設され、このブスバー３７の上下両端部には、可動端子３８，３９が固定されている。この可動端子３８，３９は、可動カバー３１の開口部３３を固定モールド９に対峙させた場合に、母線側電極１４とケーブル側電極１５とに対向するように上下に並設されているもので、上側の可動端子３８は、母線側固定モールド７に内蔵されている母線側電極１４に外嵌されて電気的かつ物理的に接続可能な導電体で形成された円筒状に形成され、可動電極として機能している。また、下側の可動端子３９は、ケーブル側固定モールド８に内蔵されているケーブル側電極１５に外嵌されて物理的に接続可能な絶縁素材で形成された円筒状に形成され、可動カバー３１の装着状態を強固かつ安定に保つための支持部材（絶縁性可動端子）として機能している。
【００２３】
また、可動カバー３１の下部には、ブッシング４０が一体に形成され、このブッシング４０を介して仮送電ケーブル３２の終端接続部４１が予め接続されている。この仮送電ケーブル３２のケーブル導体は、前記ブスバー３７と電気的に接続されており、したがって、可動カバー３１を固定モールド９に装着して母線側電極１４及びケーブル側電極１５のそれぞれに可動端子３８，３９を接続（外嵌）すると、仮送電ケーブル３２は、母線側電極１４を介してモールド母線５にのみ電気的に接続されるようになっている。
【００２４】
以上の構成において、既設ケーブルに不良等が発生し、仮送電ケーブル３２を取り付ける必要がある場合には、仮送電ケーブル３２の取り付けが必要な地中ケーブルを特定した上で、その地中ケーブルが接続されているモールドジスコン４の図６に示す既設の閉路蓋６を取り外し、ケーブル側固定モールド８のブッシング１６に取り付けられている地中ケーブル２，３の終端接続部１７を取り外すことなく、それより手前（下方）の適当な部分を切断して絶縁処理を施し、しかる後に仮送電ケーブル３２が一体に設けられた仮送電ケーブル一体形接続体３０の可動カバー３１に単極操作工具３５を取り付け、この単極操作工具３５を操作して固定モールド９に可動カバー３１を装着する。
【００２５】
これにより、仮送電ケーブル３２と電気的に接続されている可動端子３８が母線側電極１４に電気的に接続されるので、モールドジスコン４のブッシング１６に対して既設の地中ケーブル２，３を取り外して仮送電ケーブルに取り替える作業が不要となり、給電状態を容易に復旧させることが可能となる。このため、仮送電ケーブル３２の取付作業を容易に、且つ、短時間で行うことが可能となり、もって停電時間を短縮して顧客への送電時間の遅れを防ぐことが可能となる。また、モールドジスコン４のブッシング１６でのケーブルの抜差し作業が不要となるので、ブッシング１６及びケーブルの損傷の恐れを無くすことが可能となる。
【実施例２】
【００２６】
図３及び図４において、三極形のモールドジスコン４に適用した構成例が示されている。
この例において、仮送電ケーブル一体形接続体３０の可動カバー３１は、既設のモールドジスコンの三相（Ｕ相、Ｖ相、Ｗ相）の固定モールド９（母線側電極１４が内蔵された各相の母線側固定モールド７とケーブル側電極１５が内蔵された各相のケーブル側固定モールド８）を覆うように、上下１組のカバー本体を３組並設し、これら各相のカバー本体を後述する工具装着部４３によって合体させている。そして、前面には、３組の母線側固定モールド７とケーブル側固定モールド８とを挿入する開口部３３が形成され、背面には、可動カバー３１を固定モールド９に取り付ける際に用いられる三極操作工具４２を取り付ける工具装着部４３が設けられている。
【００２７】
可動カバー３１の背部（底部）３１ａには、それぞれの極毎にブスバー３７が上下方向に延びるように埋設され、このブスバーの上下両端部には、可動端子３８，３９が固定されている。
この可動端子３８，３９は、可動カバー３１の開口部３３を固定モールド９に対峙させた場合に、母線側電極１４とケーブル側電極１５とに対向するように上下に並設されているもので、上側の可動端子３８は、母線側固定モールド７に内蔵されている母線側電極１４に外嵌されて電気的かつ物理的に接続可能な導電体で形成された円筒状に形成され、可動電極として機能している。また、下側の可動端子３９は、ケーブル側固定モールド８に内蔵されているケーブル側電極１５に外嵌されて物理的に接続可能な絶縁素材で形成された円筒状に形成され、可動カバー３１の装着状態を強固かつ安定に保つための支持部材（絶縁性可動端子）として機能している。
このように、可動カバー３１には、モールドジスコン４の３相各相の母線側電極１４及びケーブル側電極１５に接続可能な３組の可動端子３８，３９を具備している。
【００２８】
また、可動カバー３１の各極の可動端子の下部には、ブッシング４０が一体に形成され、このブッシング４０を介して仮送電ケーブル３２の終端接続部４１が予め接続されている。各極の仮送電ケーブル３２のケーブル導体は、対応する極のブスバー３７と電気的に接続されており、したがって、可動カバー３１を固定モールド９に装着して母線側電極１４及びケーブル側電極１５のそれぞれに可動端子３８，３９を接続（外嵌）すると、仮送電ケーブル３２は、母線側電極１４を介してモールド母線５にのみ電気的に接続されるようになっている。
尚、その他の構成は、実施例１と同様であるので、同一箇所に同一符号を付して説明を省略する。
【００２９】
以上の構成において、既設ケーブルに不良等が発生し、仮送電ケーブル３２を取り付ける必要がある場合には、仮送電ケーブル３２の取り付けが必要な地中ケーブルを特定した上で、その地中ケーブルが接続されているモールドジスコン４の図７に示す既設の閉路蓋６を取り外し、ケーブル側固定モールド８のブッシング１６に取り付けられている地中ケーブル２，３の終端接続部１７を取り外すことなく、それより手前（下方）の適当な部分を切断して絶縁処理を施し、しかる後に仮送電ケーブル３２が一体に設けられた仮送電ケーブル一体形接続体３０の可動カバー３１に三極操作工具４２を取り付け、この三極操作工具４２を操作して固定モールド９に可動カバー３１を装着する。
【００３０】
これにより、仮送電ケーブル３２と電気的に接続されている可動端子３８が母線側電極１４に電気的に接続されるので、モールドジスコン４のブッシング１６に対して既設の地中ケーブル２，３を取り外して仮送電ケーブルに取り替える作業が不要となり、給電状態を容易に復旧させることが可能となる。このため、仮送電ケーブル３２の取付作業を容易に、且つ、短時間で行うことが可能となり、もって停電時間を短縮して顧客への送電時間の遅れを防ぐことが可能となる。また、モールドジスコン４のブッシング１６でのケーブルの抜差し作業が不要となるので、ブッシング１６及びケーブルの損傷の恐れを無くすことが可能となる。
【００３１】
尚、上述した仮送電ケーブル３２の可動カバー３１への取り付けは、地中ケーブル２，３の終端接続部１７を固定モールド９に取り付ける構造と同様の構造を採用しているが、可動カバー３１に仮送電ケーブル３２を抜き差しする作業は不要であることから、より簡易な接続構造を採用してもよい。
【符号の説明】
【００３２】
４  モールドジスコン
５  モールド母線
６  閉路蓋
７  母線側固定モールド
８  ケーブル側固定モールド
９  固定モールド
１４  母線側電極
１５  ケーブル側電極
３０  仮送電ケーブル一体形接続体
３１  可動カバー
３２  仮送電ケーブル
３８  可動端子（可動電極）
３９  可動端子（絶縁性可動端子）
【図１】
0005601981.tif 000002
【図２】
0005601981.tif 000003
【図３】
0005601981.tif 000004
【図４】
0005601981.tif 000005
【図５】
0005601981.tif 000006
【図６】
0005601981.tif 000007
【図７】
0005601981.tif 000008
【図８】
0005601981.tif 000009